(57)【要約】【課題】本発明は、誰でも容易な作業でコンセントの位置や数を変えることができるコンセント設置構造及びコンセント設置工法を提供することを課題とする。【解決手段】本発明のコンセント設置構造１は、自身の長手方向に形成されている配線ダクトレール２と、コンセント３の側面に形成され、配線ダクトレール２に摺動可能に係合する係合部７を備えるコンセント３とを備え、配線ダクトレール２は、建物を支持する支柱１１の間を渡ると共に建物の内壁１０に沿って配されていることを特徴としている。【選択図】図８
2008218009.tif 000002
【特許請求の範囲】
【請求項１】
プラグ差込口を有し、建物の壁に取り付けられるコンセントの設置構造であって、
その長手方向に形成されている溝部を有する配線ダクトレールと、
前記コンセントの側面に形成され、前記溝部に摺動可能に係合する係合部とを備え、
前記係合部と、少なくとも前記係合部と当接する前記溝部の内壁は導電性部材により形成され、この導電性部材は前記建物に電力を供給する電線に接続され、
前記配線ダクトレールは、前記建物の内壁に沿って配されていることを特徴とするコンセント設置構造。
【請求項２】
前記配線ダクトレールに取り付けられた前記コンセントが配されている箇所を除いて、前記溝部の開口を覆うレールカバーを更に備えることを特徴とする請求項１に記載のコンセント設置構造。
【請求項３】
前記壁部材は、前記配線ダクトレールが配されている箇所を除いて、前記溝部の開口と前記壁部材の表面とは面一を成していることを特徴とする請求項１又は２に記載のコンセント設置構造。
【請求項４】
前記建物の支柱間には所定の間隔を空けて間柱が配置されており、この間柱には切り欠き部が設けられ、この切り欠き部内に前記配線ダクトレールが嵌め込まれることを特徴とする請求項１〜３の何れかに記載のコンセント設置構造。
【請求項５】
前記配線ダクトレールは複数並設され、
そのうちの少なくとも一つの配線ダクトレールは、通信用配線と接続していることを特徴とする請求項１〜４の何れかに記載のコンセント設置構造。
【請求項６】
前記配線ダクトレールを幅木として用いることを特徴とする請求項１〜５の何れかに記載のコンセント設置構造。
【請求項７】
プラグ差込口を有し、建物の内壁に取り付けられるコンセントの設置工法であって、
その長手に向かって形成されている溝部を有する配線ダクトレールを、前記内壁に沿って配するステップと、
前記溝部の内壁に設けられた導電性部材に、前記建物に電力を供給する電線を接続するステップと、
前記コンセントの本体の側面に設けられた、前記溝部に摺動可能に係合する、導電性部材により形成されている係合部を前記溝部に係合させ、前記コンセントを前記配線ダクトレールに取り付けるステップと、を含むことを特徴とするコンセント設置工法。
【発明の詳細な説明】
【技術分野】
【０００１】
本発明は、電気系又は通信系のコンセントを壁面に設置する技術に関する。
【背景技術】
【０００２】
近年、情報通信分野、映像機器分野、家電分野の著しい発達に伴い一般家庭における家電製品の割合が増えてきている。例えば、パーソナルコンピュータ、ゲーム機器、大型テレビ、ＤＶＤ／ハードディスクプレーヤー、空気清浄機等、何れも一家に一台という割合で普及しているものが多い。
【０００３】
一般家庭における家電製品の割合が増えるにつれて、最近の建物（例えば戸建て住宅やマンション等）には、一部屋の壁毎に一つの電気コンセント（以下、コンセントと称す）が設置されている。コンセントは、箱状の本体と、レセプタクル取付板と、枠体と長方形状の蓋体とレセプタクルとから構成されている。レセプタクルはその前面近辺をレセプタクル取付板に保持され、組み立てられたときに本体内に配置されることになる。
【０００４】
このようなコンセントを部屋の壁面に設置する手順は、（１）建物の内壁が設置されていない時点で建物の外壁の内面側に本体を取り付け、（２）内壁が設置される際に本体前面を露出させ開口部を形成し、（３）内壁に壁紙を梁開口部の位置を切り取り、（４）電力供給用の配線をレセプタクルに接続し、このレセプタクルが固定されたレセプタクル取付板を内壁及び壁紙を介してねじ止めする。そして、（５）開口部から露出したレセプタクル取付板に内壁の手前側から枠体をねじ止めし、（６）蓋体を枠体に嵌着する。以上により、蓋体の開口部からレセプタクルに設けられているプラグ差込孔が室内に露出する。
【特許文献１】特開平８−３０８０６１号公報
【発明の開示】
【発明が解決しようとする課題】
【０００５】
上述したように、コンセントの設置には多くの工程を有し、所定の資格を有する者しか行うことができない。コンセントは、プラグの差込口が２つのものが多いため、家電製品が増えプラグの数が増えると、プラグの差込口が複数設けられた電源タップを（時には複数）用いて複数のプラグに対応してきた。
【０００６】
しかしながら、上記電源タップは、一つのタップで使用できる許容電流を超えてしまうことがあり、それを放置することで、配線が高温になり火災の発生の危険性が高くなる。
【０００７】
一方、部屋の作りや家具の配置によっては、コンセントが家具に隠れてしまう場合もある。このような場合は、家具に隠れてしまったコンセントに延長コードを接続し、家電製品の電源を確保していた。
【０００８】
しかし、家具と家電製品との配置関係を変更した際には、延長コードが不要となったり、その延長コードでは長さが足りない等により新たな延長コードが必要になったりする場合もあった。
【０００９】
そこで、本発明は、誰でも容易な作業でコンセントの位置や数を変えることができるコンセント設置構造及びコンセント設置工法を提供することを課題とする。
【課題を解決するための手段】
【００１０】
本発明は上記事項に鑑みてなされたものであり、本発明は、プラグ差込口を有し、建物
の壁に取り付けられるコンセントの設置構造であって、その長手方向に形成されている溝部を有する配線ダクトレールと、コンセントの側面に形成され、溝部に摺動可能に係合する係合部とを備え、係合部と、少なくとも係合部と当接する溝部の内壁は導電性部材により形成され、この導電性部材は前記建物に電力を供給する電線に接続され、配線ダクトレールは、建物の内壁に沿って配されていることを特徴とするコンセント設置構造ことを特徴とする。
【００１１】
本発明に係る配線ダクトレールは、建物を支持している複数の支柱を繋ぐように内壁に沿って配されている。つまり、配線ダクトレールは内壁を横切って配されている。
【００１２】
さらに、この配線ダクトレールには、コンセントを取り付けることができる。コンセントには、配線ダクトレールの溝部と係合する係合部が設けられている。この係合部は、溝部の形状に合わせて凸状のものや溝状のものとすることができる。この係合部は、配線ダクトレールの溝部に沿ってスライド可能な状態で取り付けられる。
【００１３】
このような構造により、配線ダクトレールに沿ってコンセントを自在にスライドさせることができる。すなわち、本発明によれば、コンセントの位置を誰でも容易に変えることができる。これにより、引っ越しや模様替え等に伴い家具の位置を移動させた時などにおいて、延長コードを用いたり家具の位置を変えたりすることなく、コンセントを使用環境に合わせて移動させることができる。
【００１４】
さらに、本発明によれば、配線ダクトレールを建物の内壁に沿って配するため、建物の建築時においてコンセントやコンセントボックスを設置する作業や手間を省略することができる。これにより、建物の建築工期を短縮することに繋がる。
【００１５】
また、本発明の構造は、配線ダクトレールに取り付けられたコンセントが配されている箇所を除いて、溝部の開口を覆うレールカバーを更に備えることが好ましい。
【００１６】
これは、溝部内は導電性部材が設けられているため、外部からの接触を防ぎ、また埃やゴミがたまることによる発火を防ぐためである。
【００１７】
さらに、本発明に係る内壁は、前記配線ダクトレールが配されている箇所を除いて、溝部の開口と内壁の表面とは面一を成していることを特内壁は、配線ダクトレール分を間引いて配され、溝部の開口と内壁の表面とは面一を成すように配してもよい。
【００１８】
配線ダクトレールの開口と内壁の表面とが面一となることにより、コンセントを取り付けていない状態においても、配線ダクトレールが内装の美観を損ねることがなくなる。さらには、配線ダクトレールが内壁の表面から出っ張っていないため、室内における安全性や家具の移動のし易さも通常の壁と同様に維持することができる。
【００１９】
また、本発明に係る建物の支柱間には所定の間隔を空けて間柱が配置されていることもあり、この間柱には切り欠き部が設けられ、この切り欠き部内に前記配線ダクトレールが嵌め込まれる構造とすることもできる。
【００２０】
この場合、間柱に配線ダクトレールを嵌め込むための切り欠きが設けられていることにより、配線ダクトレールは間柱によって保持される。これにより、配線ダクトレールの取り付け状態の維持が良好となる。
【００２１】
さらに、間柱に設けられた切り欠き部に配線ダクトレールが嵌め込まれることにより、間柱上にもコンセントを配置することができることになる。これに伴い、コンセントの配
置の自由度が向上する。
【００２２】
また、本発明に係る配線ダクトレールは複数並設され、そのうちの少なくとも一つの配線ダクトレールは、通信用配線と接続している構成とすることもできる。通信用配線としては、テレビのアンテナケーブル（同軸ケーブル）や、光ファイバーケーブル，モジュラーケーブル，ＬＡＮケーブル等の弱電流電線を例示できる。尚、本発明に係る電線は電力線のことであり、ＩＶケーブルやＶＶＦケーブル等も含んでいる。
【００２３】
また、複数の配線ダクトレールは、供給電圧の異なる電線とそれぞれ接続する構成としてもよい。これにより、複数種類の電圧のコンセントを誰でも容易に開設することができる。
【００２４】
例えば、ホテルや旅館等に、１１０ボルト（又は１２０〜２５０ボルト）の電線と接続した配線ダクトレールと、１００ボルトの電線と接続した配線ダクトレールとを設ける。そして、各々の配線ダクトレールには、それぞれの電圧の規格にあったコンセントを取り付ける。これにより、外国製の家電製品の電圧をトランスにより変換せずに使用することができるようになる。
【００２５】
さらに、本発明に係る配線ダクトレールは幅木として用いることもできる。幅木とは、内壁の床に接する部分に張る横板のことである。本発明に係る配線ダクトレールは、幅木と同様に、内壁の横方向に配されている。つまり、本発明に係る配線ダクトレールと幅木とは内壁における取り付け方向が同じであるためそれらの構成を一つにすることができる。
【００２６】
これにより、建物の建築に伴う電気配線工事と幅木の取り付け作業とを同時に行うことができ、建物の建築に伴う作業を軽減させることができる。
【００２７】
また、本発明は、プラグ差込口を有し、建物の内壁に取り付けられるコンセントの設置工法であって、その長手に向かって形成されている溝部を有する配線ダクトレールを、内壁に沿って配するステップと、溝部の内壁に設けられた導電性部材に、建物に電力を供給する電線を接続するステップと、コンセントの本体の側面に設けられた、溝部に摺動可能に係合する、導電性部材により形成されている係合部を溝部に係合させ、コンセントを配線ダクトレールに取り付けるステップと、を含むことを特徴とする。
【発明の効果】
【００２８】
本発明によれば、誰でも容易な作業によりコンセントの位置や数を変えることができる。
【発明を実施するための最良の形態】
【００２９】
以下、本実施形態におけるコンセント設置構造及びコンセント設置工法について図面を参照し詳説する。
【００３０】
図１に示すように、本実施形態におけるコンセント設置構造１は、配線ダクトレール２と、この配線ダクトレール２に取り付けられるコンセント３と、配線ダクトレール２のレール部分を覆うレールカバー４とを備えている。
【００３１】
図２、３に示すように、配線ダクトレール２は、断面形状がＣ型細長い部材であり、互いに向かい合う第一面板２ａと第二面板２ｂと、第一面板２ａと第二面板２ｂとの長手の端部を繋ぐ第三面板２ｃとを有している。つまり、第三面板２ｃと対向する面は開口部（溝部）Ｔとなっている。さらに、配線ダクトレール２は、第一面板２ａの開口縁から第二
面板２ｂ側に向かう第四面板２ｄと、第二面板２ｂの開口縁から第一面板２ａ側に向かう第五面板２ｅとを有している。尚、第四面板２ｄと第五面板２ｅとの間は離間し開口部Ｔを形成している。
【００３２】
さらに、第一面板２ａと第二面板２ｂとの内側には、線状導体６ａ，６ｂを保持する部分の断面形状がＣ型で長手方向に連続して開口しているレール５ａ，５ｂが固定されている。レール５ａ，５ｂの開口は二股に分かれており、レール５ａ，５ｂは、二股に分かれた側が対向するように第一面板２ａ，第二面板２ｂのそれぞれに取り付けられている。そして、レール５ａ，５ｂの二股に分かれた部分の内部に線状導体（導電性部材）６ａ，６ｂが配されている。
【００３３】
また、図４、５に示すように、コンセント３は、電気プラグを差し込む差込口３ａを有しているレセプタクル３ｂと、レセプタクル３ｂを前面に取り付ける箱状のコンセント本体３ｃと、コンセント本体３ｃの背面に設けられコンセント３を配線ダクトレール２に取り付けるための係合部７とを有している。
【００３４】
また、係合部７は、コンセント本体３ｃの背面から突出した軸部７ａと、軸部７ａの先端に設けられ、コンセント本体３ｃの背面と対向する係合面板７ｂとから構成されている。尚、係合面板７ｂの面板部分は第四面板２ｄと第五面板２ｅとの離間距離よりもやや大きく形成されている。
【００３５】
さらに、軸部７ａの先端付近と、係合面板７ｂは、導電性部材により形成されている。この軸部７ａと係合面板７ｂとが、配線ダクトレール２の線状導体６ａ，６ｂと係合する。係合面板７ｂがレール５ａ，５ｂの開口から内部に差し込まれて嵌め込まれることで、レール５ａ，５ｂ内部に設けられている線状導体６ａ，６ｂと係合面板７ｂとが接触する。係合面板７ｂはレール５ａ，５ｂの開口内部に収まっており、保持された状態となるが、万が一レール５ａ，５ｂから脱落した場合であっても、配線ダクトレール２の第四面板２ｄと第五面板２ｅとにより、配線ダクトレール２の開口部Ｔから脱落しないように阻止される。
【００３６】
また、図６、７に示すように、レールカバー４は、互いに向かい合い、図２，３に示す配線ダクトレール２の第四面板２ｄと第五面板２ｅとの離間部分（開口部Ｔ）に沿って挿入される取り付け板８ａ，８ｂと、取り付け板８ａ，８ｂの長手縁に位置し、取り付け板８ａ，８ｂ対して垂直に配された被覆板８ｃとから構成されている。被覆板８ｃは、配線ダクトレール２の長手方向に延びた開口を覆うため帯状の部材である。
【００３７】
さらに、取り付け板８ａと取り付け板８ｂとの離間間隔は、配線ダクトレール２の第四面板２ｄと第五面板２ｅとの離間部分（開口部Ｔ）の間隔（第四面板２ｄと第五面板２ｅとの離間距離）と同じか又はそれよりも若干広めに形成されている。加えて、被覆板８ｃが設けられている側と反対側の取り付け板８ａ，８ｂの縁部９ａ，９ｂ側は、互いに向かい合う方向に緩い傾斜を有している。この傾斜により、取り付け板８ａ，８ｂの縁部９ａと縁部９ｂとの離間距離は、配線ダクトレール２の第四面板２ｄと第五面板２ｅとの離間距離よりも狭くなるため、縁部９ａ，９ｂは開口部Ｔに挿入しやすくなる。
【００３８】
また、レールカバー４は弾性且つ絶縁性の部材（例えば、樹脂やゴム等）により形成されている。弾性部材により形成されていることにより、レールカバー４を配線ダクトレール２の第四面板２ｄと第五面板２ｅとの離間部分（開口部Ｔ）に取り付ける際、取り付け板８ａと取り付け板８ｂとを互いに寄せ合う方向に力を加え、取り付け板８ａ，８ｂを撓らせることができる。その状態で、取り付け板８ａ，８ｂを開口部Ｔに挿入し、内部に挿入された時点で取り付け板８ａ，８ｂに加えていた力を解除すると取り付け板８ａ，８ｂ
はダクトレール２内で元の形状に戻る。上述したように、取り付け板８ａと取り付け板８ｂとの離間距離は、第四面板２ｄと第五面板２ｅとの開口部Ｔの離間距離（第四面板２ｄと第五面板２ｅとの離間距離）と同じか又は若干広めとなっているため、取り付け板８ａ，８ｂに加えていた力を解除すると、取り付け板８ａ，８ｂは第四面板２ｄ，第五面板２ｅと当接し、第四面板２ｄと第五面板２ｅとの開口部Ｔに嵌合された状態となる。これにより、レールカバー４がダクトレール２に挿着される。
【００３９】
また、レールカバー４が絶縁性の部材により形成されていることにより、万一レールカバー４が配線ダクトレール２内の線状導体６ａ，６ｂに触れてしまっている場合であっても、外部に漏電又は感電することがなくなる。
以上が、本実施形態のコンセント設置構造の詳細である。
【００４０】
次に、コンセント設置工法について詳説する。尚、本実施形態では、図８に示すように、２本の配線ダクトレール（配線ダクトレール２、配線ダクトレール２０）が並設されるものとして説明する。配線ダクトレール２０の構造は、配線ダクトレール２と同じであるため、その構成には配線ダクトレール２と同じ符号を付して説明を簡略化する。
【００４１】
また、本実施形態では、配線ダクトレール２は電線（電力線）と接続し、配線ダクトレール２０は光ケーブルや電話線等の通信線として説明する。
【００４２】
本実施形態のコンセント設置構造１は、図８に示すように、配線ダクトレール２，２０が、建物の骨格となる支柱１１及び支柱１１から所定間隔を空けて設けられている間柱１２に対して直角に交差して配される。尚、本実施形態の配線ダクトレール２，２０は、内壁１０が床１３に接する部分に設けられている幅木１４よりも上に配される。
【００４３】
まず、図９に示すように、配線ダクトレール２の部分を間引いて、配線ダクトレール２の上下に内壁１０を設置する。つまり、内壁１０に配線ダクトレール２を収容可能なように内壁１０を切り欠く。尚、内壁１０は、建物の伸縮を吸収するため、配線ダクトレール２の上方に位置する内壁１０の下端が、配線ダクトレール２の上端と当接しない程度に離れた位置に配されるように内壁１０を設置する。
【００４４】
次に、配線ダクトレール２，２０を支柱１１及び間柱１２の前面にビス１５によって所定の高さ位置に固定する。このとき、配線ダクトレール２が内壁１０の表面からあまりにも突出してしまう場合は、支柱１１及び間柱１２の配線ダクトレール２が取り付けられる部分を切り欠いて配線ダクトレール２を上下から保持するようにする。
【００４５】
このように、支柱１１及び間柱１２に切り欠きを設けることにより、内壁１０の表面と配線ダクトレール２の表面を面一にすることができる。これにより、配線ダクトレール２，２０が出っ張り、外観を損ねたり、邪魔になったりすることがなくなる。尚、内壁１０の表面からコンセント３を突出させないようにするには、支柱１１及び間柱１２の切り欠き部分の深さをコンセント３の高さ分深くして調整することで実現できる。
【００４６】
また、配線ダクトレール２，２０が固定された後、配線ダクトレール２（詳細には線状導体６ａ，６ｂ）に電線（電力線）を接続し、配線ダクトレール２０に通信線を接続する。
【００４７】
そして、それぞれの配線ダクトレールに対応する種類のコンセント３，３０を配線ダクトレール２，２０に取り付ける。配線ダクトレール２に取り付けられるコンセント３は、電気プラグの差込口を有するコンセントであり、配線ダクトレール２０に取り付けられるコンセント３０は、テレビのアンテナを接続する口を有するコンセントであるとする。
【００４８】
さらに、コンセント３，３０の背面に設けられている係合部７を配線ダクトレール２，２０の第四面板２ｄと第五面板２ｅとの開口部Ｔから差し込み、レール５ａ，５ｂの二股部分に挿入し嵌め込む。これによって、コンセント３，３０が配線ダクトレール２，２０に取り付けられる。
【００４９】
最後に、コンセント３，３０の部分を除いた配線ダクトレール２，２０の前面（第四面板２ｄ及び第五面板２ｅが配されている面）に、レールカバー４を取り付ける。これにより、配線ダクトレール２内部にゴミや異物が入ったり、人が誤って線状導体６ａ，６ｂに触れてしまったりする事故を防ぐことができる。
以上の工程を経て配線ダクトレール２，２０が設置される。
【００５０】
このように、配線ダクトレール２，２０が内壁１０の下側に沿って設けられていることにより、図１０に示すように、室内における家具１６の移動に伴い、コンセント３，３０を配線ダクトレール２，２０に沿って誰でも容易に移動させることができる。これにより、引っ越しや模様替えにより家具１６や家電製品１７の裏にコンセント３，３０が配されることを回避することができる。それに伴い、本実施形態の新しいコンセントを取り付ける専門的な工事が不要になる。
【００５１】
また、本実施形態のコンセント設置構造１によれば、コンセント３，３０を配線ダクトレール２，２０にコンセント３，３０の係合部７を取り付けるだけでコンセントの設置を行うことができる。そのため、家電製品が増えて急遽新たなコンセントが必要になった場合であっても、専門的なコンセント増設工事を行わずとも誰でも容易にコンセントの増設を行うことができる。
【００５２】
尚、本実施形態のコンセント設置構造及び設置工法は、間柱を備えた建物の内壁に配線ダクトレールを取り付けるとして説明したが、配線ダクトレールを支持できる構成の部材であれば間柱に限らない。
【００５３】
＜その他の実施態様＞
また、本実施形態のコンセント設置構造１は、配線ダクトレールを幅木として利用する態様とすることができる。尚、本態様のコンセント設置構に関する構成は、上記した本実施形態のコンセント設置構造と同じであるため、上記実施形態と同符号を付すことにより説明を簡略化する。
【００５４】
図１１に示すように、本態様における配線ダクトレール２は、幅木が設けられるべき場所（内壁１０が床１３と接する部分）に設けられている。図１２に示すように、配線ダクトレール２は、支柱１１及び間柱１２の前面にビス１５にて固定される。配線ダクトレール２が固定された後は、上記同様にコンセント３、レールカバー４を取り付ける。レールカバー４は、配線ダクトレール２内部に異物が混入することを防ぐだけでなく、幅木としての役割（内壁が蹴られたり、家具１６や家電製品１７の移動により傷つくことを防ぐという役割）を果たす。
【００５５】
このように、本実施形態の配線ダクトレール２を幅木の代用とすることにより、コンセントの設置工事と幅木の設置作業とを一つの作業にすることができ、内装工事の作業を少なくすることができる。
【００５６】
尚、本態様では、１本の配線ダクトレールを用いたが、上記した本実施形態のように複数の配線ダクトレールを並設させて幅木の代用とすることもできる。
【図面の簡単な説明】
【００５７】
【図１】本実施形態のコンセント設置構造の斜視図である。
【図２】本実施形態の配線ダクトレールの斜視図である。
【図３】本実施形態の配線ダクトレールの側面図である。
【図４】本実施形態のコンセントの斜視図である。
【図５】本実施形態のコンセントの平面図である。
【図６】本実施形態のレールカバーの斜視図である。
【図７】本実施形態のレールカバーの側面図である。
【図８】本実施形態のコンセント設置構造の取り付け状態を示す図である。
【図９】本実施形態のコンセント設置構造の取り付け部分の拡大断面図である。
【図１０】本実施形態のコンセント設置構造の活用状態を示す図である。
【図１１】その他の実施態様のコンセント設置構造の取り付け状態を示す図である。
【図１２】その他の実施態様のコンセント設置構造の取り付け部分の拡大断面図である。
【符号の説明】
【００５８】
１  コンセント設置構造
２，２０  配線ダクトレール
２ａ  第一面板
２ｂ  第二面板
２ｃ  第三面板
２ｄ  第四面板
２ｅ  第五面板
３  コンセント
３ａ  差込口
３ｂ  レセプタクル
３ｃ  コンセント本体
４  レールカバー
５ａ，５ｂ  レール
６ａ，６ｂ  線状導体（導電性部材）
７  係合部
７ａ  軸部
７ｂ  係合面板
８ａ，８ｂ  取り付け板
８ｃ  被覆板
９ａ，９ｂ  縁部
１０  内壁
１１  支柱
１２  間柱
１３  床
１４  幅木
１５  ビス
１６  家具
１７  家電製品
Ｔ  開口部（第四面板と第五面板との離間部分，溝部）
【図１】
2008218009.tif 000003
【図２】
2008218009.tif 000004
【図３】
2008218009.tif 000005
【図４】
2008218009.tif 000006
【図５】
2008218009.tif 000007
【図６】
2008218009.tif 000008
【図７】
2008218009.tif 000009
【図８】
2008218009.tif 000010
【図９】
2008218009.tif 000011
【図１０】
2008218009.tif 000012
【図１１】
2008218009.tif 000013
【図１２】
2008218009.tif 000014